(57)【要約】【課題】写真から取り込んだ画像や入力された画像の色味を変更してプリント出力する。【解決手段】本実施形態による画像プリント装置は、写真の画像を取り込む画像取込装置１７と、画像取込装置１７が取り込んで取得した取得画像内の背景画像を選択し、前記背景画像の色を変更する背景色変更部２２と、前記取得画像のカラー調整を行うカラー調整部２３と、前記背景画像の色変更及び前記カラー調整の少なくともいずれか一方の加工編集処理が行われた処理画像のプリント出力を行うプリンタ１３と、を備える。【選択図】図２
2018043437.tif 000002
【特許請求の範囲】
【請求項１】
写真の画像を取り込む画像取込装置と、
前記画像取込装置が取り込んで取得した取得画像内の背景画像を選択し、前記背景画像の色を変更する背景色変更部と、
前記取得画像のカラー調整を行うカラー調整部と、
前記背景画像の色変更及び前記カラー調整の少なくともいずれか一方の加工編集処理が行われた処理画像のプリント出力を行うプリンタと、
を備える画像プリント装置。
【請求項２】
前記取得画像におけるプリント範囲を選択するプリント範囲選択部をさらに備えることを特徴とする請求項１に記載の画像プリント装置。
【請求項３】
前記カラー調整部は、色味の変更、又はモノクロ画像からカラー画像への変換を行うことを特徴とする請求項１又は２に記載の画像プリント装置。
【請求項４】
前記処理画像のデータをサーバ装置に送信して保存する保存処理部をさらに備えることを特徴とする請求項１乃至３のいずれかに記載の画像プリント装置。
【請求項５】
前記サーバ装置から、保存データに対応する識別番号を受信し、前記識別番号を出力し、
利用者から入力された識別番号を前記サーバ装置に通知して対応する画像データを取得し、前記サーバ装置から取得した画像データに対して前記加工編集処理を行うことを特徴とする請求項１乃至４のいずれかに記載の画像プリント装置。
【請求項６】
画像データの入力を受け付けるデータ入力部をさらに備え、
前記データ入力部を介して入力された画像データに対して前記加工編集処理を行うことを特徴とする請求項１乃至５のいずれかに記載の画像プリント装置。
【請求項７】
前記プリンタは筐体内に収容され、
前記筐体の前面には、写真載置領域を含む凹部が設けられ、
前記画像取込装置は、前記凹部に載置された写真を撮像する撮像装置を含むことを特徴とする請求項１乃至６のいずれかに記載の画像プリント装置。
【発明の詳細な説明】
【技術分野】
【０００１】
本発明は、写真の色味を変更してプリント出力する画像プリント装置に関する。
【背景技術】
【０００２】
写真フィルムでの撮影・現像によって得られた写真は、経時変化により色褪せて変色（退色）する。写真フィルムを保存していない場合は、焼き増しを行うことができず、鮮明な色の写真を再度入手することはできなかった。そのため、退色した写真の色味を変更し、新たなプリント物として作成・出力することが求められている。また、古い白黒写真からカラー写真を作成することに対する要求は多い。
【先行技術文献】
【特許文献】
【０００３】
【特許文献１】特開２００２−１０１３１３号公報
【発明の概要】
【発明が解決しようとする課題】
【０００４】
本発明は、上記従来の実状に鑑みてなされたものであり、写真から取り込んだ画像や入力された画像の色味を変更してプリント出力できる画像プリント装置を提供することを課題とする。
【課題を解決するための手段】
【０００５】
本発明による画像プリント装置は、写真の画像を取り込む画像取込装置と、前記画像取込装置が取り込んで取得した取得画像内の背景画像を選択し、前記背景画像の色を変更する背景色変更部と、前記取得画像のカラー調整を行うカラー調整部と、前記背景画像の色変更及び前記カラー調整の少なくともいずれか一方の加工編集処理が行われた処理画像のプリント出力を行うプリンタと、を備えるものである。
【０００６】
本発明の一態様では、前記取得画像におけるプリント範囲を選択するプリント範囲選択部をさらに備える。
【０００７】
本発明の一態様では、前記カラー調整部は、色味の変更、又はモノクロ画像からカラー画像への変換を行う。
【０００８】
本発明の一態様では、前記処理画像のデータをサーバ装置に送信して保存する保存処理部をさらに備える。
【０００９】
本発明の一態様では、前記サーバ装置から、保存データに対応する識別番号を受信し、前記識別番号を出力し、利用者から入力された識別番号を前記サーバ装置に通知して対応する画像データを取得し、前記サーバ装置から取得した画像データに対して前記加工編集処理を行う。
【００１０】
本発明の一態様では、画像データの入力を受け付けるデータ入力部をさらに備え、前記データ入力部を介して入力された画像データに対して前記加工編集処理を行う。
【００１１】
本発明の一態様では、前記プリンタは筐体内に収容され、前記筐体の前面には、写真載置領域を含む凹部が設けられ、前記画像取込装置は、前記凹部に載置された写真を撮像する撮像装置を含む。
【発明の効果】
【００１２】
本発明によれば、写真から取り込んだ画像や入力された画像の色味を変更してプリント出力できる。
【図面の簡単な説明】
【００１３】
【図１】本発明の実施形態による画像プリント装置のブロック構成図である。
【図２】同実施形態による画像プリント装置の斜視図である。
【図３】画像処理プログラムを実行することで実現される機能ブロック図である。
【図４】同実施形態による画像プリント方法を説明するフローチャートである。
【図５】画像入力方法選択画面の例を示す図である。
【発明を実施するための形態】
【００１４】
以下、本発明の実施の形態を図面に基づいて説明する。
【００１５】
図１は実施形態による画像プリント装置のブロック構成図であり、図２は画像プリント装置の斜視図である。図１に示すように、画像プリント装置は、タッチパネル（表示部、操作部）１０Ａ、１０Ｂ、データ入力部１１、課金部１２、プリンタ１３、ＣＰＵ（中央処理部）１４、ディスク装置（記憶部）１５、メインメモリ１６、画像取込装置１７、及び通信装置１８を有する。画像プリント装置の各部はバスを介して接続されている。
【００１６】
タッチパネル１０Ａ、１０Ｂは、画像を含む情報を表示したり、利用者から各種指示の入力を受け付けたりする。例えば、タッチパネル１０Ａ、１０Ｂは、利用者から、画像データにおけるプリント範囲の選択、画像の色変更、プリント枚数やプリントサイズの指定などを受け付ける。
【００１７】
図２に示すように、タッチパネル１０Ｂは、画像プリント装置の筐体１の上部に設けられ、ディスプレイ画面は略垂直に立った状態となっている。タッチパネル１０Ａは、筐体１の天板１Ａ部分に設けられている。タッチパネル１０Ａへの入力操作を行い易いように、天板１Ａ及びタッチパネル１０Ａの画面は、手前側が低く奥側が高くなるようにやや傾斜している。本実施形態では、２つのタッチパネルを搭載した例について説明するが、タッチパネルは１つでもよい。
【００１８】
データ入力部１１は、画像データが記憶された記憶媒体から画像データを読み取ることで、画像データの入力を受け付ける。データ入力部１１は、様々な記憶媒体に対応したデータ読取装置を有している。また、データ入力部１１は、無線通信により携帯端末から画像データの入力を受け付けることができる。図２に示すように、データ入力部１１はタッチパネル１０Ａとタッチパネル１０Ｂとの間に設けられている。
【００１９】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタ（図示略）を有する。
【００２０】
プリンタ１３は、昇華型熱転写方式の高解像度カラープリンタであり、注文内容に基づいて、画像データをプリントして出力する。筐体１内にプリンタ１３を複数台収容していてもよい。プリンタ１３は、後述する制御部２０から画像データが転送されると、指定された印画紙、プリントサイズ及びプリント枚数に基づいて、プリント処理を行う。シール基材に画像を形成するプリンタ１３が設けられていてもよい。
【００２１】
筐体１の前面側には、開閉扉２が開閉自在に設けられている。開閉扉２の裏面側には、プリンタ１３から排出されたプリント物が集積される集積部（図示略）が設けられており、開閉扉２を開けると集積部に集積されたプリント物が取り出せるようになっている。
【００２２】
画像取込装置１７は、利用者が持参した写真Ｐの画像を取り込むものであり、例えばデジタルカメラ（撮像装置）が用いられる。写真Ｐは、例えばフィルム現像で得られるモノクロ写真やカラー写真、プリンタで作製された写真などである。
【００２３】
タッチパネル１０Ａとタッチパネル１０Ｂとの間の筐体１の前面には後面側へ凹んだ凹部３が設けられており、写真Ｐを載置できる領域が設けられている。画像取込装置１７のカメラは、凹部３に載置された写真Ｐの画像を取り込む。凹部３を開閉する蓋（シャッター）を設け、画像取込時の明るさ（光量）を調整し易くしてもよい。
【００２４】
通信装置１８は、図示しないサーバ装置と通信を行い、画像データをサーバ装置に保存したり、サーバ装置に保存されている画像データを取得したりする。後述するように、サーバ装置に保存されている画像データには、それぞれ識別番号が割り当てられている。利用者が、タッチパネル１０Ａ又は１０Ｂから識別番号を入力すると、通信装置１８はサーバ装置に識別番号を通知して、対応する画像データを取得する。
【００２５】
ディスク装置１５は、例えばハードディスクドライブであり、制御プログラム及び画像処理プログラムを格納する。ＣＰＵ１４は、ディスク装置１５内の制御プログラムをメインメモリ１６にロードして、制御プログラムを実行する。ＣＰＵ１４は、制御プログラムを実行することで、画像プリント装置の各部を制御する制御部２０として機能する。
【００２６】
ＣＰＵ１４は、ディスク装置１５内の画像処理プログラムをメインメモリ１６にロードして実行する。画像処理プログラムの実行に伴い、メインメモリ１６には、取得画像データや注文内容などを格納する領域が確保されると共に、図３に示すように、プリント範囲選択部２１、背景色変更部２２、カラー調整部２３、プリント処理部２４、及び保存処理部２５が実現される。取得画像データは、画像取込装置１７で取り込んだ写真Ｐの画像、データ入力部１１を介して入力された画像、又は通信装置１８がサーバ装置から取得した画像のデータである。取得画像データはタッチパネル１０Ａに表示される。
【００２７】
プリント範囲選択部２１は、利用者から、タッチパネル１０Ａを介して、取得画像のうちプリント出力する範囲の選択指示を受け付ける。プリント範囲として、取得画像の全範囲がデフォルト設定されている。
【００２８】
背景色変更部２２は、取得画像が人物画像を含むものである場合、画像から人物を抽出し、人物画像と背景画像とを切り分け、背景画像の色を変更する。画像からの人物抽出方法については特に限定しないが、例えば、顔のモデルを用いた特徴点抽出や体型を用いたテンプレートマッチングと、背景差分法や分割併合法などを組み合わせることで実現可能である。
【００２９】
背景色変更部２２は、利用者から人物画像と背景画像との境界の指示を受け付けてもよい。
【００３０】
背景色変更部２２は、タッチパネル１０Ａ又は１０Ｂにカラーチャートを表示し、利用者から背景色の選択指示を受け付ける。背景色変更部２２は、利用者から指示された色に背景色を変更する。例えば、背景は単色ベタ画像に変更される。
【００３１】
カラー調整部２３は、取得画像の色味を変更したり、モノクロ画像をカラー画像に変換したりする。色味の変更は、例えば色調補正であり、カラー調整部２３は、取得画像と共に、濃淡や明暗を調整する操作ボタンをタッチパネル１０Ａ又は１０Ｂに表示し、利用者から指示を受け付ける。カラー調整部２３は、色調補正された画像をタッチパネル１０Ａ又は１０Ｂに表示する。
【００３２】
また、カラー調整部２３は、色調補正を自動で行って色調の異なる複数パターンの画像を作成し、タッチパネル１０Ａ又は１０Ｂに表示してもよい。利用者は、好みの色調の画像を選択する。
【００３３】
モノクロ画像からカラー画像への変換は、利用者が色と着色領域を順次選択・指定して行ってもよいし、カラー調整部２３が自動で行ってもよい。モノクロ画像からカラー画像への自動変換方法は特に限定されず、例えば、白黒とカラーが組となった多数の画像を準備し、取得画像と特徴の似ている画像を参照し、色付けを行うことができる。白黒とカラーの画像の組み合わせデータをサーバ装置に保存し、カラー画像生成の際は、通信装置１８がサーバ装置と通信を行い、サーバ装置内のデータを参照するようにしてもよい。
【００３４】
利用者が着色領域を指定する場合は、例えば、利用者がモノクロ画像上の１点を選択すると、カラー調整部２３は、選択された箇所の近傍で濃淡が同じ（又は近似している）領域を抽出する。利用者が、カラーチャートから色を選択すると、その色を抽出領域に着色する。
【００３５】
プリント処理部２４は、印画紙種類、プリントサイズ、プリント枚数の選択画面をタッチパネル１０Ａ又は１０Ｂに表示し、利用者から指示を受け付ける。プリント処理部２４は、利用者から指示を受け付け、注文内容が確定すると、プリンタ１３へ画像データを転送し、注文内容に基づいてプリント出力するように制御する。
【００３６】
保存処理部２５は、プリント範囲選択、背景色変更、カラー調整等の加工編集処理が施された画像データの保存要求を、通信装置１８を介してサーバ装置へ送信する。サーバ装置は、保存処理部２５から画像データ保存要求を受け取ると、保存処理部２５へ識別番号を通知する。保存処理部２５は、識別番号と共に画像データをサーバ装置へ送信し、保存する。
【００３７】
保存処理部２５がサーバ装置へ送信するデータは、加工編集処理後の画像データでもよいし、加工編集処理前の画像データと加工編集処理の内容（編集履歴）とを組み合わせたものでもよい。
【００３８】
保存処理部２５は、識別番号をタッチパネル１０Ａ又は１０Ｂに表示する。また、上述のレシートプリンタが出力するレシートに識別番号を印字してもよい。
【００３９】
保存処理部２５は、利用者から識別番号が入力されると、通信装置１８を用いてサーバ装置に通知し、サーバ装置から、通知した識別番号に対応する画像データを取得する。
【００４０】
次に、この画像プリント装置を用いてカラー調整等の処理を行い、プリント物を作成する方法を、図４に示すフローチャートを用いて説明する。
【００４１】
画像プリント装置のタッチパネル１０Ａに、図５に示すような画像入力方法の選択画面が表示される。利用者がフィルム現像で得られるモノクロ写真やカラー写真、プリンタで作製された写真などを持参している場合は（ステップＳ１０２＿Ｎｏ）、選択画面のボタン３１を押し、写真を画像プリント装置の筐体１の前面に設けられた凹部３にセットする（ステップＳ１０４）。画像取込装置１７のカメラが、凹部３に載置された写真を撮像し、画像を取り込む（ステップＳ１０６）。
【００４２】
利用者が、画像プリント装置で以前に作成してサーバ装置に保存している画像データを再利用する場合は（ステップＳ１０８＿Ｙｅｓ）、選択画面のボタン３３を押す。ボタン３３を押すと、タッチパネル１０Ａに識別番号入力画面が表示される。利用者が識別番号を入力すると（ステップＳ１１０）、保存処理部２５が識別番号をサーバ装置に通知して、対応する画像データを取得する（ステップＳ１１２）。
【００４３】
利用者が画像データを有している場合は（ステップＳ１０８＿Ｎｏ）、選択画面のボタン３２を押す。利用者は、データ入力部１１から画像データを入力する。
【００４４】
画像プリント装置は、画像取込装置１７による画像取込、サーバ装置からの画像取得、又はデータ入力部１１からのデータ入力により処理対象の画像データを取得すると、取得画像データをタッチパネル１０Ａに表示し、プリント範囲を指定するか否かの選択画面を表示する。取得画像の全範囲がプリント範囲として初期設定されている。
【００４５】
プリント範囲を指定する場合（ステップＳ１１６＿Ｙｅｓ）、利用者は、タッチパネル１０Ａで所望の範囲をドラッグしてプリント範囲を選択する（ステップＳ１１８）。プリント範囲選択部２１は、取得画像のうち、利用者から選択された範囲をプリント範囲として切り出す。これにより、例えば、人物全体が含まれる画像から上半身のみを切り出すことができる。
【００４６】
画像プリント装置は、背景色を変更するか否かの選択画面をタッチパネル１０Ａに表示する。背景色を変更する場合（ステップＳ１２０＿Ｙｅｓ）、背景色変更部２２は、画像から人物を抽出し、人物画像と背景画像とを切り分ける。利用者から、背景色変更部２２が抽出した人物画像と背景画像との境界の修正指示を受け付けるようにしてもよい。
【００４７】
背景色変更部２２は、タッチパネル１０Ａ又は１０Ｂにカラーチャートを表示する。利用者が、カラーチャートから好みの色を選択すると、背景色変更部２２は背景部分の色を変更する（ステップＳ１２２）。
【００４８】
画像プリント装置は、色味の変更や、モノクロ画像からカラー画像への変換等のカラー調整を行うか否かの選択画面をタッチパネル１０Ａに表示する。カラー調整を行う場合（ステップＳ１２４＿Ｙｅｓ）、カラー調整部２３は濃淡や明暗を調整する操作ボタンを表示し、利用者から色調補正の指示を受け付け、色調補正した画像を表示する（ステップＳ１２６）。
【００４９】
また、カラー調整部２３は、利用者から、モノクロからカラーへの変更指示を受け付けると、モノクロ画像をカラー画像へ自動変換する。利用者が色と着色領域を順次選択・指定して、モノクロ画像からカラー画像を作成してもよい。
【００５０】
画像プリント装置は、画像編集を終えると、印画紙タイプの選択画面を表示する（ステップＳ１２８）。例えば、「写真」又は「シール」を選択することができる。また、プリントの仕上がりを「マット」又は「光沢」にするかを選択できるようにしてもよい。
【００５１】
さらに、画像プリント装置は、プリントサイズの選択画面、及びプリント枚数の選択画面を表示する。利用者は、選択画面からプリントサイズやプリント枚数を指示する（ステップＳ１３０、Ｓ１３２）。
【００５２】
プリント注文が完了したか否かの確認画面がタッチパネル１０Ａに表示される。注文内容を変更する場合（ステップＳ１３４＿Ｎｏ）、利用者は、やり直すステップを選択する（ステップＳ１３６）。やり直しステップを選択できるため、注文内容の変更が容易である。
【００５３】
注文内容が確定した場合（ステップＳ１３４＿Ｙｅｓ）、編集した画像データをサーバ装置に保存するか否かの選択画面が表示される。画像データの保存が選択されると（ステップＳ１３８）、保存処理部２５はサーバ装置に画像データを保存する。サーバ装置から通知された識別番号がタッチパネル１０Ａに表示される（ステップＳ１４０）。
【００５４】
課金部１２が、注文内容や画像データの保存有無等に基づいて料金を計算し、課金処理を行う（ステップＳ１４２）。
【００５５】
料金支払い後、画像データがプリンタ１３へ転送され、プリンタ１３がプリント物を出力する（ステップＳ１４４）。
【００５６】
このように、本実施形態によれば、写真から取り込んだ画像や、電子データとして入力された画像の色味を変更してプリント出力できる。例えば、古いモノクロ写真からカラー写真を作成することができる。利用者が色と着色領域を順次選択する場合は、モノクロ画像の一部分のみをカラーにした画像を作成することもできる。
【００５７】
また、例えば、自分の気に入った表情の写真を持参して画像を取り込み、プリント範囲の選択で胸から上の範囲を選択し、背景色を変更することで、証明写真を容易に作成することができる。
【００５８】
上記実施形態において、レシートプリンタは、サーバ装置に保存されている画像データに紐付けられた識別番号だけでなく、この識別番号を示す二次元コードをレシートにプリントしてもよい。画像プリント装置の凹部３にレシートを載置し、デジタルカメラがレシート上の二次元コードを読み取り、識別番号を取得するようにしてもよい。これにより、識別番号入力の手間を省くことができる。
【００５９】
サーバ装置で画像データを保存する期間に制限を設けてもよい。サーバ装置に画像データを保存する際に、利用者のＥメールアドレスの入力を受け付けて登録しておき、保存期限が近付いたらメールで通知するようにしてもよい。
【００６０】
上記実施形態では、画像の表示や、利用者からの指示受け付けにタッチパネルを用いる構成について説明したが、画像を表示するディスプレイと、マウスやボタン等の操作部とで構成してもよい。
【００６１】
上記実施形態では、画像取込装置１７としてデジタルカメラを用いる例について説明したが、フラットベッドスキャナ等を用いてもよい。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６３】
１  筐体
１Ａ  天板
２  開閉扉
１０Ａ、１０Ｂ  タッチパネル
１１  データ入力部
１２  課金部
１３  プリンタ
１４  ＣＰＵ
１５  ディスク装置
１６  メインメモリ
１７  画像取込装置
１８  通信装置
２０  制御部
２１  プリント範囲選択部
２２  背景色変更部
２３  カラー調整部
２４  プリント処理部
２５  保存処理部
【図１】
2018043437.tif 000003
【図２】
2018043437.tif 000004
【図３】
2018043437.tif 000005
【図４】
2018043437.tif 000006
【図５】
2018043437.tif 000007